(57)【特許請求の範囲】
【請求項１】
建物内部のキッチン領域内には、階段下空間に収納家具が収容される階段と、キッチン台および吊戸棚等を有するキッチン設備とが設けられており、
前記キッチン設備は、前記階段下空間に収容された収納家具の前方に、この収納家具から間隔をあけて配置されており、
これらキッチン設備と収納家具との間が作業スペースとされ、
前記階段は、前記建物の外壁に沿って配置された直階段とされており、
この階段上端部の降り口付近の床の下方空間は、前記キッチン領域と略等しい天井高に設定されるとともに、前記収納家具と並べて冷蔵庫が設置される冷蔵庫用スペースとされており、
この冷蔵庫用スペースの前方は、前記キッチン設備を横切る通路とされており、
前記キッチン設備は、
当該キッチン設備の周囲に、前記作業スペースおよび通路を含んで構成されるとともに該キッチン設備周囲を周回可能とする周回通路が設けられ、なおかつ、前記階段の最下段の階段踏み板の縁と前記キッチン設備の一端面とが平面視で略面一となるように、配置され、
前記キッチン設備の一端面と他端面とは、それぞれ対向する壁に対して所定の間隔をあけて平行となっていることを特徴とするキッチン構造。
【請求項２】
請求項１に記載のキッチン構造において、
前記収納家具は、それぞれ高さが異なる複数の収納体からなり、
これら複数の収納体は、前記階段の傾斜方向に沿って、高さ順に並んで配置されていることを特徴とするキッチン構造。
【請求項３】
請求項１または２に記載のキッチン構造において、
前記階段と作業スペースとの間には、これら階段と作業スペースとを仕切る仕切り壁が設けられていることを特徴とするキッチン構造。
【請求項４】
請求項３記載のキッチン構造において、
前記キッチン設備の階段側とは反対側の面と、前記仕切り壁のキッチン設備側の面とが、略同様の意匠面とされていることを特徴とするキッチン構造。
【発明の詳細な説明】
【技術分野】
【０００１】
本発明は、住宅等の建物のキッチン構造に関する。
【背景技術】
【０００２】
キッチンルーム（以下、キッチン）では、各種調理器具を始め、炊飯器や電気ポット等の家電製品、食器、食料品など、様々な物品が使用される。また、キッチン内には、これら様々な物品を収納可能な大型の収納家具等が設置される（例えば、特許文献１参照）。
【先行技術文献】
【特許文献】
【０００３】
【特許文献１】特開平０７−２８９３７２号公報
【発明の概要】
【発明が解決しようとする課題】
【０００４】
ところで、上述のような収納家具等にはキッチンで使用される物品が収納されるため、キッチン領域外に設置されることは好ましくない。
しかしながら、キッチンはリビングルームなどに比して狭い場合が多いため、大型の収納家具等を設置してしまうと、その分キッチンが狭くなってしまい、調理のための十分な作業スペースを確保できない場合がある。一方、作業スペースを確保するために、大型の収納家具等を設置しないとなると、キッチンで使用される物品の収納場所を確保できないという問題がある。
このため、キッチン領域内に、収納家具等を設置するスペースを省略できるとともに、調理のための十分な作業スペースを確保でき、キッチンの機能性を向上させることが可能な技術の開発が望まれていた。
【０００５】
本発明の課題は、キッチンの機能性を向上させることが可能なキッチン構造を提供することを目的とする。
【課題を解決するための手段】
【０００６】
請求項１に記載の発明は、キッチン構造であって、例えば図１〜図６に示すように、建物１内部のキッチン領域２内には、階段下空間４に収納家具５（例えば、収納体１１，１２，１３，１４）が収容される階段３と、キッチン台７および吊戸棚９等を有するキッチン設備６とが設けられており、
前記キッチン設備６は、前記階段下空間４に収容された収納家具５の前方に、この収納家具５から間隔をあけて配置されており、
これらキッチン設備６と収納家具５との間が作業スペース１０とされ、
前記階段３は、前記建物１の外壁２４に沿って配置された直階段とされており、
この階段３上端部の降り口付近の床３ａの下方空間は、前記キッチン領域２と略等しい天井高に設定されるとともに、前記収納家具５と並べて冷蔵庫１６ａが設置される冷蔵庫用スペース１６とされており、
この冷蔵庫用スペース１６の前方は、前記キッチン設備６を横切る通路１７とされており、
前記キッチン設備６は、
当該キッチン設備６の周囲に、前記作業スペース１０および通路１７を含んで構成されるとともに該キッチン設備６周囲を周回可能とする周回通路１８が設けられ、なおかつ、前記階段３の最下段の階段踏み板の縁と前記キッチン設備６の一端面とが平面視で略面一となるように、配置され、
前記キッチン設備６の一端面と他端面とは、それぞれ対向する壁に対して所定の間隔をあけて平行となっていることを特徴とする。
【０００７】
請求項１に記載の発明によれば、前記階段３の階段下空間４に収納家具５が収容されているので、この収納家具５に、キッチンで使用される物品を収納することができ、キッチン領域２内において、収納家具５を設置するためのスペースを省略することができる。
また、階段下空間４に収容された収納家具５の前方が、前記作業スペース１０とされているので、作業スペース１０が狭くなるのを防ぎ、調理のための十分なスペースを確保することができる。
これによって、キッチンの機能性を向上させることが可能となる。
また、請求項１に記載の発明によれば、前記階段３上端部の降り口付近の床３ａの下方空間は、前記冷蔵庫用スペース１６とされているので、家電の中でも大型な冷蔵庫１６ａを階段３下に収容することができ、キッチン領域２内において、冷蔵庫１６ａを設置するためのスペースを省略することができる。
また、前記キッチン設備６の周囲には、前記作業スペース１０および通路１７を含んで構成されるとともに該キッチン設備６周囲を周回可能とする周回通路１８が配置されているので、この周回通路１８を通じてキッチン領域２内を効率良く移動することができ、キッチン領域２の使い勝手を向上させることができる。
これによって、キッチンの機能性をさらに向上させることが可能となる。
【０００８】
請求項２に記載の発明は、例えば図１〜図３に示すように、請求項１に記載のキッチン構造において、
前記収納家具５は、それぞれ高さが異なる複数の収納体１１，１２，１３，１４からなり、
これら複数の収納体１１，１２，１３，１４は、前記階段３の傾斜方向に沿って、高さ順に並んで配置されていることを特徴とする。
【０００９】
請求項２に記載の発明によれば、前記複数の収納体１１，１２，１３，１４は、前記階段３の傾斜方向に沿って、高さ順に並んで配置されているので、階段下空間４を極力広く、有効的に活用することができる。
【００１０】
請求項３に記載の発明は、例えば図１〜図３に示すように、請求項１または２に記載のキッチン構造において、
前記階段３と作業スペース１０との間には、これら階段３と作業スペース１０とを仕切る仕切り壁１５が設けられていることを特徴とする。
【００１１】
請求項３に記載の発明によれば、前記階段３と作業スペース１０との間には、これら階段３と作業スペース１０とを仕切る仕切り壁１５が設けられているので、この仕切り壁１５によって、隣接する階段３と作業スペース１０との間を確実に遮ることができる。
これによって、例えば、階段昇降時の階段３からの塵埃がキッチンへと舞い込んでしまったり、調理中のキッチンの熱が階段３を通じて上階へと上昇してしまったり、火災時にキッチンから上階への延焼を防止するなど、キッチンの機能性をより向上させることができる。
【００１４】
請求項４に記載の発明は、例えば図２に示すように、請求項３に記載のキッチン構造において、
前記キッチン設備６の階段３側とは反対側の面と、前記仕切り壁１５のキッチン設備６側の面とが、略同様の意匠面（例えば、化粧板１９）とされていることを特徴とする。
【００１５】
請求項４に記載の発明によれば、前記キッチン設備６の階段３側とは反対側の面と、前記仕切り壁１５のキッチン設備６側の面とが、略同様の意匠面とされているので、前記キッチン設備６と仕切り壁１５との統一感を高めることができる。
【発明の効果】
【００１６】
本発明によれば、階段の階段下空間に収納家具が収容されているので、この収納家具に、キッチンで使用される物品を収納することができ、キッチン領域内において、収納家具を設置するためのスペースを省略することができる。また、階段下空間に収容された収納家具の前方が作業スペースとされているので、作業スペースが狭くなるのを防ぎ、調理のための十分なスペースを確保することができる。これによって、キッチンの機能性を向上させることが可能となる。
【図面の簡単な説明】
【００１７】
【図１】本発明に係るキッチンが配設された建物の下階部分を示す平面図である。
【図２】キッチン領域内を示す斜視図である。
【図３】作業スペースから階段側を見た状態を示す正面図である。
【図４】キッチン設備を示しており、（ａ）は作業スペースからキッチン設備を見た状態の正面図であり、（ｂ）はキッチン台の平面図であり、（ｃ）はキッチン設備の側面図である。
【図５】階段下空間における収納の一実施例を示す側断面図である。
【図６】階段下空間における収納の一実施例を示す平断面図である。
【発明を実施するための形態】
【００１８】
以下、図面を参照して本発明の実施の形態について説明する。
図１は本発明に係るキッチンが配設された建物の下階部分の一例を示す平面図である。
図１において符号１は、建物を示す。この建物１は、複数階建て住宅であり、図１に示す部分は建物の１階部分である。この１階部分には、玄関１ａと、この玄関１ａから建物内部へと進んでいった先にあるサンルーム１ｂと、このサンルーム１ｂに隣接するとともに１階部分の大部分を示すリビングダイニング領域１ｃと、このリビングダイニング領域１ｃに隣接するとともに浴室・脱衣所・トイレ等からなる水廻り設備室１ｄと、同じくリビングダイニング領域１ｃに隣接するキッチン領域２とが配設されている。
【００１９】
なお、リビングルームとダイニングルームとキッチンルームとからなる空間には、これらリビングルームとダイニングルームとキッチンルームとを完全に仕切る境界線や段差、出入口等が設けられない。このため、リビングルームとダイニングルームとが配設される大凡の位置をリビングダイニング領域１ｃと称し、キッチンルームが配設される大凡の位置をキッチン領域２と称する。
【００２０】
前記キッチン領域２内には、図１〜図４に示すように、階段下空間４に収納家具５が収容される階段３と、キッチン台７および吊戸棚９等を有するキッチン設備６とが設けられている。
前記階段３は、直階段とされており、前記建物１の一面側に設けられた外壁２４に沿って配置されている。また、前記階段下空間４の天井は、前記階段３の傾斜方向に沿って斜面状または段状に形成されている。さらに、この階段下空間４は、構造上問題ない範囲で極力大きく形成されている。
前記キッチン設備６は、前記階段下空間４に収容された収納家具５の前方に、この収納家具５から間隔をあけて配置されている。また、このキッチン設備６は、前記収納家具５から間隔をあけて配置されるだけでなく、建物１の壁から間隔をあけて配置された所謂アイランドキッチンとされている。
そして、これらキッチン設備６と収納家具５との間が、調理のための作業スペース１０とされている。すなわち、調理者は、基本的に、作業スペース１０で前記リビングダイニング領域１ｃ側を向いて調理を行うことになる。
【００２１】
前記階段３上端部の降り口付近の床３ａの下方空間は、図１および図３に示すように、前記キッチン領域２と略等しい天井高に設定されるとともに、前記収納家具５と並べて冷蔵庫１６ａが設置される冷蔵庫用スペース１６とされている。
なお、この冷蔵庫用スペース１６内の壁面には、冷蔵庫１６ａ用のアースターミナル付きコンセントが設けられている。
【００２２】
前記冷蔵庫用スペース１６の前方は、前記キッチン設備６を横切る通路１７とされている。この通路１７は前記リビングダイニング領域１ｃへと通じている。
また、前記キッチン設備６の周囲には、前記作業スペース１０および通路１７を含んで構成されるとともに該キッチン設備６周囲を周回可能とする周回通路１８が配置されている。したがって、この周回通路１８を通じて、前記リビングダイニング領域１ｃとキッチン領域２との間で、効率良く移動できる生活動線を確保できることになる。
すなわち、例えばリビングダイニング領域１ｃから冷蔵庫１６ａに飲み物を取りに行きたい時には、前記通路１７を通過すればよい。また、リビングダイニング領域１ｃから階段３へ向かいたい時には前記周回通路１８を通過すればよい。また、作業スペース１０からリビングダイニング領域１ｃへと行きたい時には、キッチン設備６の両側のいずれかから周回通路１８を通過すればよい。また、作業スペース１０から冷蔵庫１６ａを経由してリビングダイニング領域１ｃへ向かいたい時には前記通路１７を通過すればよい。
【００２３】
そして、前記階段３と作業スペース１０との間には、図１〜図３に示すように、前記階段３と作業スペース１０とを仕切る仕切り壁１５が設けられている。
この仕切り壁１５は、前記階段３と作業スペース１０との間を確実に遮ることが可能な幅寸法と高さ寸法とに設定されている。
すなわち、この仕切り壁１５の幅寸法は前記キッチン設備６のキッチン台７の幅寸法と略等しくなるように設定されている。また、この仕切り壁１５の幅寸法は、階段３の昇り口付近のから降り口付近までの水平距離と略等しくなるように設定されている。
また、この仕切り壁１５の高さ寸法は、前記キッチン領域２の床から天井２ａまでの高さ、すなわちキッチン領域２の天井高と略等しくなるように設定されている。
【００２４】
また、この仕切り壁１５には、前記階段下空間４に収容される収納家具５を通過させるための開口部１５ｂが、この仕切り壁１５を厚さ方向に貫通するようにして形成されている。後述するが、前記収納家具５は、それぞれ高さの異なる複数の収納体１１，１２，１３，１４からなるため、この開口部１５ｂの上側縁部の形状も、これら複数の収納体１１，１２，１３，１４の高さに対応したものとなっている。
すなわち、本実施の形態の開口部１５ｂは、前記収納家具５（複数の収納体１１，１２，１３，１４）の構成に合わせて、前記階段３の傾斜方向に沿って段状に形成された開口となっている。
【００２５】
なお、前記仕切り壁１５は、例えば表面に不燃材が貼設されたり、内部に断熱材が充填されるなどして、防火性能に優れる。これに限られず、仕切り壁１５自体が不燃材料で構成されていても良く、階段３と作業スペース１０との間を確実に遮ることができる。
また、この仕切り壁１５には、この仕切り壁１５を厚さ方向に貫通する小窓状の開口部１５ｃが形成されている。
【００２６】
ここで、前記収納家具５について説明する。
前記収納家具５は、図１および図３に示すように、それぞれ高さが異なる複数の収納体１１，１２，１３，１４からなり、これら複数の収納体１１，１２，１３，１４は、前記階段３の傾斜方向に沿って、高さ順に並んで配置されている。
【００２７】
前記収納体１１は、複数の収納体１１，１２，１３，１４のうち、最も高さの低い収納体であり、前記階段３の低い位置に設けられる階段踏み板の下方に配置されている。
この収納体１１は、物品が収納される収納部１１ａと、この収納部１１ａの前面（作業スペース１０側）に取り付けられるとともに取っ手が取り付けられた前面板１１ｂと、前記収納部１１ａの下面に取り付けられた複数のキャスター１１ｃ…とを備えており、ワゴン状に構成されている。
【００２８】
前記収納体１２は、前記収納体１１よりも高さの高い収納体であり、前記階段３の階段踏み板のうち、前記収納体１１の上方に位置する階段踏み板よりも高い位置に設けられた階段踏み板の下方に配置されている。
この収納体１２は、複数の棚からなる収納部１２ａと、この収納部１２ａの前面（作業スペース１０側）に取り付けられるとともに取っ手が取り付けられた前面板１２ｂと、収納部１２ａの棚のうち最も下方に位置する棚の下面に取り付けられた複数のキャスター１２ｃ…とを備えており、ワゴン状に構成されている。
【００２９】
前記収納体１３は、前記収納体１２よりも高さの高い収納体であり、前記階段３の階段踏み板のうち、前記収納体１２の上方に位置する階段踏み板よりも高い位置に設けられた階段踏み板の下方に配置されている。
この収納体１３は、上側引き出し１３ａと、下側引き出し１３ｂと、前記上側引き出し１３ａの前面（作業スペース１０側）に取り付けられるとともに取っ手が取り付けられた前面板１３ｃと、前記下側引き出し１３ｂの前面（作業スペース１０側）に取り付けられるとともに取っ手が取り付けられた前面板１３ｄとを備えており、上下２段の引き出し状に構成されている。
なお、下側引き出し１３ｂは、前記収納体１２の高さと略等しくなるように設定されており、収納体１３は、前記収納体１２に比して、前記上側引き出し１３ａの分だけ高くなるように設定されている。
【００３０】
前記収納体１４は、前記収納体１３よりも高さの高い収納体であり、前記階段３の階段踏み板のうち、前記収納体１３の上方に位置する階段踏み板よりも高い位置に設けられた階段踏み板の下方に配置されている。
この収納体１４は、前記階段下空間４内に設けられるとともに前記仕切り壁１５の開口部１５ｂを介して前記作業スペース１０側に開口する収納ボックス１４ａと、この収納ボックス１４ａの開口部を開閉する開閉扉１４ｂとを備えている。
また、この収納体１４に隣り合うようにして前記冷蔵庫用スペース１６が設けられており、この冷蔵庫用スペース１６内に、前記複数の収納体１１，１２，１３，１４と並ぶようにして冷蔵庫１６ａが設置されている。
【００３１】
なお、本実施の形態の収納家具５は、前記複数の収納体１１，１２，１３，１４からなるものとしたが、これに限られるものではなく、前記階段下空間４の形状に合わせた１つの収納体からなるものとしてもよい。また、複数の棚板を主体として構成された収納棚を前記階段下空間４の形状に合わせて設けるようにしても良い。
また、この収納家具５としては、その他にも様々な実施の形態のものを採用しても良いものとする。
【００３２】
例えば図５に示すように、収納家具５（例えば収納体１１）を、屋外側から使用できるようにしても良い。すなわち、図５の側断面図は、基礎２２上に床２３を設置し、床２３上に前記外壁２４が立設され、この外壁２４に開口部２４ａが形成された状態となっている。また、この開口部２４ａは扉２４ｂによって開閉可能となっている。
さらに、収納体１１の収納部１１ａを構成するとともに前記前面板１１ｂと対向する背面板１１ｄには取っ手が取り付けられており、屋外側から収納体１１を引き出しやすくなっている。
そして、このように収納体１１を屋内側からも屋外側からも使用できることから、この収納体１１を例えば屋内でも屋外でも使用する物品を収納したり、ゴミ箱として使用したりすることができるので、使い勝手がよい。
【００３３】
また、例えば図６に示すように、収納家具５（例えば収納体１１）が収容される階段下空間４の床の下に床下収納部２６を設けるようにしてもよい。すなわち、図６の平断面図は、階段下空間４内において収納体１１が収容されるスペースと、収納体１１が階段下空間４から作業スペース１０側に引き出された状態と、収納体１２が収容されている状態を示している。
前記収納体１１が収容されるスペースには、収納体１１の両側に配置されるキャスター１１ｃ，１１ｃの間隔に対応するようにして２本のレール２５，２５が平行に設置されている。つまり、収納体１１は、これらレール２５，２５に沿って階段下空間４から出し入れできるようになっている。
そして、これらレール２５，２５間に位置する床に、この床よりも下方に収納部を有する床下収納部２６が設けられている。これによって、階段下空間４の床から天井までの空間だけでなく、床下も収納スペースとして利用できるので、キッチンで使用される物品をより多く収納することができる。
【００３４】
続いて、前記キッチン設備６について説明する。
前記キッチン設備６は、図４に示すように、シンク７ｃや調理器７ｄが備え付けられたキッチン台７と、このキッチン台７の長さ方向（幅方向））一端部側面に一体的に設けられたサイド収納棚８と、前記キッチン台７上方に間隔をあけて配置される吊戸棚９とを備えている。
そして、前記キッチン台７およびサイド収納棚８の幅寸法と、前記吊戸棚９の幅寸法とは、図４（ａ）に示すように、略等しくなるように設定されている。
【００３５】
前記キッチン台７および吊戸棚９は、所謂、対面式キッチンであり、かつアイランドキッチン（上述）とされており、図４（ａ）に示すように、前記キッチン台７のシンク７ｃや調理器７ｄを使用する人が立つ側を正面とし、その反対側を背面としている。また、正面は前記作業スペース１０に面している。
【００３６】
前記キッチン台７は、図４（ａ），（ｂ）に示すように、天板の右側に前記シンク７ｃが位置し、天板の左側に前記調理器７ｄが位置するように構成されている。
前記吊戸棚９は、図４（ａ），（ｃ）に示すように、前記キッチン台７のシンク７ｃ付近の上方に戸棚本体９ｂが位置し、前記キッチン台７の調理器７ｄの上方に換気扇９ｃが位置するように構成されている。また、この吊戸棚９は天井に固定されている。
【００３７】
また、前記サイド収納棚８の場合は、図４（ｃ）に示すように、このサイド収納棚８の開口する部分が正面とされており、正面に向かって左側に位置する側板８ｂは前記作業スペース１０に面している。
前記サイド収納棚８は、間隔をあけて対向配置された側板８ｂ，８ｂと、これら側板８ｂ，８ｂの上端部間に架設される天板８ａと、この天板８ａよりも下方において前記側板８ｂ，８ｂ間に架設される棚板８ｃとを備えている。
この棚板８ｃの上には電子レンジ２０が設置されており、この棚板８ｃの下方には、床上にゴミ箱ワゴン２１が配置収容されている。
【００３８】
さらに、前記キッチン台７およびサイド収納棚８は、これらキッチン台７の左側面と、キッチン台７の背面と、サイド収納棚８の右側面とを覆う遮蔽壁７ａと一体的に設けられている。また、前記吊戸棚９は、この吊戸棚９の左側面および背面を覆う遮蔽壁９ａと一体的に設けられている。
これら遮蔽壁７ａ，９ａは、平面視略Ｌ字状に形成されており、その幅寸法および奥行き寸法、厚みが略等しくなるように設定されている。上下方向の寸法は、遮蔽壁７ａの方が、遮蔽壁９ａよりも長くなるように形成されている。
【００３９】
なお、前記遮蔽壁７ａの上下方向の寸法（高さ寸法）は、前記キッチン台７の天板までの高さ寸法よりも高くなるように設定されており、前記サイド収納棚８の天板８ａ上面までの高さ寸法と略等しくなるように設定されている。
すなわち、前記キッチン台７は、このキッチン台７の正面を除く３つの側面（背面・左側面・右側面）で、前記遮蔽壁７ａおよびサイド収納棚８と隣接しながら、これら遮蔽壁７ａおよびサイド収納棚８よりも高さが低くなるように設定されている。これにより、前記遮蔽壁７ａおよびサイド収納棚８には、前記キッチン台７との高さ寸法の差によって、３つのキッチン台７側面が生じることになる。
【００４０】
また、これら３つのキッチン台７側面は、前記キッチン台７のシンク７ｃおよび調理器７ｄを囲むように配置されることになる。そして、これら３つのキッチン台７側面には、防火防水材７ｂが貼設されている。
この防火防水材は、例えば、防水シート材料の表面に不燃性の金属溶射を施し、防水シート材料自身にも難燃剤を添加配合するなどして構成されたシートが採用されている。
【００４１】
また、このサイド収納棚８の天板８ａの上面は、キッチン領域２とリビングダイニング領域１ｃとの間で料理・食器等を運ぶ際に、料理・食器等を一時的に載せるための配膳スペースとされている。この配膳スペースは、前記天板８ａの上面だけでなく、この天板８ａ近傍の前記遮蔽壁７ａの上面を含むようにしても良い。
【００４２】
そして、前記キッチン設備６の階段３側とは反対側の面と、前記仕切り壁１５のキッチン設備６側の面とが、略同様の意匠面とされている。
すなわち、前記遮蔽壁７ａの表面と、前記遮蔽壁９ａの表面と、前記仕切り壁１５のキッチン設備側面１５ａとには、図２に示すように、略同様の意匠面の化粧板１９が貼設されている。本実施の形態の化粧板１９は、木目が横方向に流れる木調とされている。
【００４３】
以上のような構成のキッチンでは、作業者は、前記作業スペース１０で調理などの作業を行うこととなる。また、キッチンで使用される物品は、作業スペース１０側から収納家具５へと収納することとなる。つまり、調理等の作業を行う時は前記収納家具５を階段下空間４に収容しておき、物品を収納する時は、その都度、前記収納家具５を階段下空間４から出せばよい。
また、作業者は、前記作業スペース１０内だけでなく、作業スペース１０および通路１７を含む周回通路１８でも移動や作業を行うことができる。
【００４４】
本実施の形態によれば、前記階段３の階段下空間４に収納家具５が収容されているので、この収納家具５に、キッチンで使用される物品を収納することができ、キッチン領域２内において、収納家具５を設置するためのスペースを省略することができる。
また、階段下空間４に収容された収納家具５の前方が、前記作業スペース１０とされているので、作業スペース１０が狭くなるのを防ぎ、調理のための十分なスペースを確保することができる。
これによって、キッチンの機能性を向上させることが可能となる。
【００４５】
また、前記複数の収納体１１，１２，１３，１４は、前記階段３の傾斜方向に沿って、高さ順に並んで配置されているので、階段下空間４を極力広く、有効的に活用することができる。
【００４６】
また、前記階段３と作業スペース１０との間には、これら階段３と作業スペース１０とを仕切る仕切り壁１５が設けられているので、この仕切り壁１５によって、隣接する階段３と作業スペース１０との間を確実に遮ることができる。
これによって、例えば、階段昇降時の階段３からの塵埃がキッチンへと舞い込んでしまったり、調理中のキッチンの熱が階段３を通じて上階へと上昇してしまったり、火災時にキッチンから上階への延焼を防止するなど、キッチンの機能性をより向上させることができる。
【００４７】
また、前記階段３上端部の降り口付近の床３ａの下方空間は、前記冷蔵庫用スペース１６とされているので、家電の中でも大型な冷蔵庫１６ａを階段３下に収容することができ、キッチン領域２内において、冷蔵庫１６ａを設置するためのスペースを省略することができる。
また、前記キッチン設備６の周囲には、前記作業スペース１０および通路１７を含んで構成されるとともに該キッチン設備６周囲を周回可能とする周回通路１８が配置されているので、この周回通路１８を通じてキッチン領域２内を効率良く移動することができ、キッチン領域２の使い勝手を向上させることができる。
これによって、キッチンの機能性をさらに向上させることが可能となる。
【００４８】
また、前記キッチン設備６の階段３側とは反対側の面と、前記仕切り壁１５のキッチン設備側面１５ａとが、前記化粧板１９によって略同様の意匠面とされているので、前記キッチン設備６と仕切り壁１５との統一感を高めることができる。
【符号の説明】
【００４９】
１  建物
２  キッチン領域
３  階段
４  階段下空間
５  収納家具
６  キッチン設備
７  キッチン台
８  サイド収納棚
９  吊戸棚
１０  作業スペース
１５  仕切り壁
【図１】
0005666862.tif 000002
【図２】
0005666862.tif 000003
【図３】
0005666862.tif 000004
【図４】
0005666862.tif 000005
【図５】
0005666862.tif 000006
【図６】
0005666862.tif 000007